(57)【要約】  【課題】  改善した帯電制御を有する潤滑剤を用いた改良ディスクドライブシステムを提供する。  【解決手段】  このディスクドライブシステムは回転可能に装着した磁気ディスクからなる。ロータをディスクに連結しステータが回転可能に保持する。ステータとロータ間のインターフェイスとしての役割を果たす軸受が形成される。ロータに連結されたモータが、ロータを介した磁気ディスクを回転させる。軸受に位置するのは、低比誘電率を有す潤滑剤である。【選択図】  図１
2005106290.tif 000002
【特許請求の範囲】
【請求項１】
回転可能に装着された磁気ディスクと、
前記磁気ディスクに連結されたロータと、
前記ロータを回転可能に保持するステータと、
前記ステータと前記ロータ間のインターフェイスとしての役割を果たす軸受と、
前記ロータを介した前記磁気ディスクを回転させる前記ロータに連結されたモータと、
前記軸受に蓄積された電荷を減らす潤滑媒体および帯電制御添加剤からなる前記軸受に配置された潤滑剤とからなるディスクドライブシステム。
【請求項２】
回転可能に且つ間隙を空けて前記ロータに装着された複数の磁気ディスクからなり、前記ロータを経て前記モータが前記磁気ディスクを回転させるような、請求項１記載のディスクドライブシステム。
【請求項３】
前記モータが、毎分回転数３，５００以上の速度で前記ロータを回転させるように構成されている請求項１記載のディスクドライブシステム。
【請求項４】
前記軸受がジャーナル軸受からなる請求項１記載のディスクドライブシステム。
【請求項５】
前記軸受がスラスト軸受からなる請求項１記載のディスクドライブシステム。
【請求項６】
前記軸受が螺旋溝軸受からなる請求項１記載のディスクドライブシステム。
【請求項７】
前記軸受がヘリングボーン溝軸受からなる請求項１記載のディスクドライブシステム。
【請求項８】
前記軸受が前記潤滑剤内に内部の圧力を創出する溝で浮き彫りにされた面から形成された請求項１記載のディスクドライブシステム。
【請求項９】
前記潤滑媒体がオイルからなる請求項１記載のディスクドライブシステム。
【請求項１０】
前記帯電制御添加剤が前記潤滑媒体中で溶解度が高められるか溶解している請求項１記載のディスクドライブシステム。
【請求項１１】
前記帯電制御添加剤がジオクチルジフェニルアミン、そのオリゴマー、あるいは前述の組み合せからなる請求項１記載のディスクドライブシステム。
【請求項１２】
前記帯電制御添加剤がフェニルナフチルアミン、そのオリゴマー、あるいは前述の組み合せからなる請求項１記載のディスクドライブシステム。
【請求項１３】
さらに前記帯電制御添加剤がジオクチルジフェニルアミン、そのオリゴマー、あるいは前述の組み合せからなる請求項１２記載のディスクドライブシステム。
【請求項１４】
前記帯電制御添加剤がフェニルナフチルアミンおよびジオクチルジフェニルアミンのオリゴマーからなる請求項１記載のディスクドライブシステム。
【請求項１５】
さらに前記潤滑剤が前記潤滑剤の導電率を高める導電率増加添加剤からなる請求項１記載のディスクドライブシステム。
【請求項１６】
前記導電率増加添加剤が前記潤滑媒体中で溶解度が高められるか溶解している請求項１５記載のディスクドライブシステム。
【請求項１７】
前記導電率増加添加剤はアニリン、それらのオリゴマー、それらのポリマー、あるいは前述の組み合せからなる請求項１５記載のディスクドライブシステム。
【請求項１８】
回転自在に装着された磁気ディスクと、
前記磁気ディスクに連結されたロータと、
前記ロータを介した前記磁気ディスクを回転させるために前記ロータに連結されたモータと、
前記ロータを回転自在に保持するステータと、
前記ステータと前記ロータとの間のインターフェイスとして役割を果たす軸受と、
前記軸受において交換可能な潤滑剤と、
前記磁気ディスクと動作関連にあるスライダとからなるディスクドライブシステムにおいて、
前記システムが、磁気ディスクおよびスライダ間に静電放電を経験する傾向があり、
前記交換潤滑剤と低比誘電率誘電体を有す交換潤滑剤とを置き換えることからなる改良。
【請求項１９】
前記置換え潤滑剤が、前記置換え可能な潤滑剤に等しいか、あるいは前記置換え可能な潤滑剤よりも大きい電気導電率を有している請求項１８記載のディスクドライブシステム。
【請求項２０】
前記置換え潤滑剤が、前記軸受に蓄積した前記電荷を減らす潤滑媒体および帯電制御添加剤からなる請求項１８記載のディスクドライブシステム。
【請求項２１】
前記帯電制御添加剤がフェ二ルナフチルアミンおよびジオクチルジフェニルアミンのオリゴマーからなる請求項２０記載のディスクドライブシステム。
【請求項２２】
さらに前記置換え潤滑剤が前記置換え潤滑剤の前記電気導電率を増強する導電率増強添加剤からなる請求項１８記載のディスクドライブシステム。
【請求項２３】
前記導電率増強添加剤がアニリン、それらのオリゴマー、それらのポリマー、あるいは前述の組み合せからなる請求項２２記載のディスクドライブシステム。
【請求項２４】
前記置換え潤滑剤が少なくとも約２００ｎＡから約５０ｎＡを越えない程度にまで前記磁気ディスクと前記スライダ間の静電気放電を減少させることからなる請求項１８記載のディスクドライブシステム。
【請求項２５】
回転自在に装着された磁気ディスクと、
前記磁気ディスクに連結されたロータと、
前記ロータを回転可能に保持するステータと、
前記ステータと前記ロータ間のインターフェイスとしての役割を果たす軸受と、
前記ロータを介した前記磁気ディスクを回転させる前記ロータに連結されたモータと、
５０℃で約２５，０００以下のＤＣ比誘電率を持ち前記軸受に配置された潤滑剤とからなるディスクドライブシステム。
【請求項２６】
５０℃で約１０，０００以下の前記ＤＣ比誘電率からなる請求項２５記載のディスクドライブシステム。
【請求項２７】
前記潤滑剤が、前記軸受の前記電荷を減らす潤滑媒体および帯電制御添加剤からなる請求項２５記載のディスクドライブシステム。
【請求項２８】
前記帯電制御添加剤は、芳香族アミン類、アルキル化芳香族アミン類のオリゴマー、あるいはそれらのあらゆる組み合せからなる請求項２７記載のディスクドライブシステム。
【請求項２９】
前記帯電制御添加剤がフェニルナフチルアミンおよびジオクチルジフェニルアミンのオリゴマーからなる請求項２８記載のディスクドライブシステム。
【請求項３０】
さらに前記潤滑剤が前記潤滑剤の導電率を高める導電率増加添加剤からなる請求項２５記載のディスクドライブシステム。
【請求項３１】
前記導電率増加添加剤はアニリン、それらのオリゴマー、それらのポリマー、あるいは前述の組み合せからなる請求項２９記載のディスクドライブシステム。
【発明の詳細な説明】
【技術分野】
【０００１】
本発明は一般には低比誘電率の潤滑剤を用いたディスクドライブシステムに関する。本発明はまた潤滑剤の電荷を減少させる帯電制御添加剤の使用に関する。
【背景技術】
【０００２】
コンピュータディスクドライブたとえばハードディスクドライブには、少なくとも１個の磁気ディスクを高速で回転させるモータが用いられている。一般的には磁気ディスクにはロータが結合されており、次に、ロータを経て磁気ディスクを回転させるモータに結合されている。ステータもまたロータを保持するよう設けられている。軸受はステータおよびロータ間のインターフェイスとしての役割を果たしている。作動中一般的に潤滑剤が必要とされ、また軸受内に提供されてもよい。たとえば、軸受には、一対の磁気流体シール、数個の細孔あるいは溝、そしてバリア膜を張って設けられた毛細溝内を流れる潤滑剤が含まれることがある。
また、ディスクドライブシステムには、少なくとも１個の読取り/書込み変換器あるいは、磁気ディスクにデータを読取りし書込みする役目を果たす「ヘッド」が含まれる。この変換器は、サスペンションを経てアクチュエータアッセンブリに装着された上面と、好適な浮遊高特性をもたらすよう望ましい画成の空気ベアリング設計を有す底面とを有す空気ベアリングスライダにより支持されていてもよい。ディスクが回転を開始するにつれ、空気がスライダの前縁に入り、スライダの後縁方向に流れる。空気の流れがスライダの空気ベアリング面に正の圧力を生じさせ、記録面上のスライダを持ち上げる。スピンドルモータが動作速度に達するにつれ、スライダは空気クッションで記録面上に基準浮遊高を維持する。そして、スピンドルモータが回転数を下げると、スライダの浮遊高が下がる。
多くのディスクドライブシステムに共通の問題は、静電荷を蓄積するシステムの傾向に関するものである。このような帯電を制御できないで放電を蓄積し、ディスクドライブの種々の構成要素に損傷を与える。たとえば、ヘッドとディスク間の電圧差によりヘッドとディスク媒体自体を損なう位置エネルギー放電が生じることがある。ディスクドライブシステムの構成要素間の初期電圧差は略ゼロに近似して維持できるが、典型的に静電荷は、動作中にディスクドライブシステム内に蓄積し、それにより、ディスクドライブシステムの構成要素間の電圧差を蓄積する。このような電圧差は、ヘッドとディスク間、ロータとステータ間のような動きのある部品間に起きる。
かなりの電源は、静電荷蓄積の一因となることがある。面が軸受内で互いに擦れ合う際、電子およびイオン交換、あるいは電荷分離が起こることがあり、それにより摩擦電荷が生じる結果となる。ヘッドやディスク上の凹凸がところどころ接触し摩擦電荷を生じる。ディスクプラッター面が近傍しているために、電荷不平衡が少なくても電圧と同等の電位差を形成する。更に、回転面に隣接する境界層の空気分子をせん断するために電荷の蓄積が起きることがある。電荷はまたモータ軸受潤滑剤の流れがせん断させるためにも生じる。さらに、軸受で用いられる潤滑剤は性質上誘電性であってもよい。一般に、誘電性潤滑剤は、蓄積された電荷を放散させる機能に欠ける。ずり応力が潤滑剤の化学結合を壊すために、遊離した電子やイオンがさらに蓄電する一因となることがある。
余剰静電荷を軽減する既知のアプローチの一つには、ディスクドライブチャージに蓄積した電荷を放散させるに十分な高導電率の潤滑剤を提供することである。多くの特許には、潤滑剤の導電率を増加させるための添加剤が記載されている。たとえば、特許文献１、２、および３には、潤滑剤に誘電性を持たせるために用いられることがある、種々の伝導性ポリアニリン誘導体が記載されている。伝導性潤滑剤について記載した更なる特許には、特許文献４、５、および６がある。軸受の高導電率潤滑剤は、ロータとステータ間に蓄積することがある、あらゆる電位差を減らすであろうと考えられている。
【０００３】
【特許文献１】米国特許第５，６４１，８４１号公報  ディアズら
【特許文献２】米国特許第５，７４４，４３１号公報  ディアズら
【特許文献３】米国特許第５，８８６，８５４号公報  ディアズら
【特許文献４】米国特許第５，７７３，３９４号公報  ワンら
【特許文献５】米国特許第５，９０４，２４６号公報  コアンら
【特許文献６】米国特許第６，２５０，８０８号公報  市山ら
【発明の開示】
【発明が解決しようとする課題】
【０００４】
それにもかかわらず、潤滑剤導電率がディスクドライブシステムの静電荷作用に影響を及ぼす多くの要素の唯一ひとつを示していることが見出されている。特に、潤滑剤それ自体が余剰な静電荷を蓄積してもよいので、高伝導性潤滑剤を用いたディスクドライブが、驚異的に高ピーク放電電流をそれでも経験してもよいことが発見されている。したがって、余剰静電荷を蓄積するようなタイプではないディスクドライブ潤滑剤が必要とされている。このような潤滑剤は典型的には低比誘電率を有しており、また、たとえば、通常潤滑媒体に電荷が蓄積することを減らす帯電制御添加剤を導入することにより、調合されている。
【課題を解決するための手段】
【０００５】
本発明の一つの側面は、潤滑媒体を含む潤滑油と、電荷の蓄積を減らす帯電制御添加剤とを用いたディスクドライブシステムに関する。
本発明のもう一つの側面は５０℃で約２５，０００以下の比誘電率を持つ潤滑剤を用いたディスクドライブシステムに関する。
本発明の更なる側面、利点、新規特性は、次の記載に一部示されるであろう。また、次の通りに考察した場合に当業者らにとって部分的に明らかとなろう。あるいは、日常的な実験を通して発明を実施することから学んでもよい。
第１の実施例において、本発明はディスクドライブシステムを提供する。回転可能に取り付けられた磁気ディスクロータに連結している。このロータはステータにより回転可能に保持される。軸受は、ステータおよびロータ間のインターフェイスとして役割を果たすよう形成されている。ロータに連結されているモータは、ロータを経て磁気ディスクを回転させるために提供されている。軸受に位置付けられているのは、低比誘電率を有す潤滑剤である。
もう一つの実施例において、磁気ディスクおよび磁気ディスクに関連して機能するスライダ間に静電荷に遭遇しがちである点を除き、本発明は、上記ディスクドライブシステムに類似したディスクドライブシステムを提供する。上記システムのように、ディスクはロータに連結され、順次このロータがモータに連結される。ロータを回転可能に保持するステータも提供される。軸受の潤滑剤を、低比誘電率を有する潤滑剤と置き換えることによって、静電荷が減る。たとえば、磁気ディスクとスライダ間のピーク静電荷が少なくとも約２００ｎＡから約５０ｎＡを越えない程までに減ることがある。
典型的な潤滑剤はＤＣ比誘電率が５０℃で約２５，０００以下である。好ましくは、このＤＣ比誘電率が５０℃で約１０，０００以下である。軸受に蓄積した電荷を減らすために潤滑媒体を含む潤滑剤と、帯電制御添加剤とを調合することで、低比誘電率が得られる。たとえば、潤滑媒体は油からなっていてもよく、また帯電制御添加剤は潤滑媒体中で溶解度が高められるか溶解してもよい。例示的な帯電制御添加剤には芳香族アミン類、アルキル化芳香族アミン類、それらのオリゴマー類、そしてそれらの組み合せが含まれる。更に詳細には、好ましい帯電制御添加剤にはジオクチルジフェニルアミン、フェニルナフチルアミン、それらのオリゴマー類、あるいは前述の組み合せが含まれる。とりわけ好ましい帯電制御添加剤は、フェニルナフチルアミンおおびジオクチルジフェニルアミンのオリゴマーからなる。
加えて、潤滑剤は、潤滑媒体中で溶解度を高められるか、若しくは溶解した導電率増加添加剤から更になってもよい。たとえば、この導電率増加添加剤はアニリン、それらのオリゴマー、それらのポリマー、あるいは前述の組み合せからなってもよい。
【発明を実施するための最良の形態】
【０００６】
定義および概観
本発明を詳細に記述する以前に本発明は加工条件、製造装置、または同種のもの、このようなものが変化することがあると理解されよう。また、ここで用いられる専門用語は、特別な実施例を記載する目的のみであり、限定する意図はないこともまた理解されよう。
明細書および添付の特許請求の範囲において用いられているように、単数形の「ひとつの」（蚤,  蚤n煤jおよび「その」(鍍he  は複数の指示対象を含む点に留意すべきである。但し、文脈から明らかに別の状態が必然的に定められる場合にはこの限りではない。したがって、たとえば、「あるひとつのディスク」に対する言及には、単一のディスクに加えて複数のディスクが含まれ、「あるひとつの混合剤」に対する言及には、単一の混合剤に加えて複数の混合剤が含まれ、「あるひとつのオリゴマー」に対する言及には、単一のオリゴマーに加えて複数のオリゴマーが含まれる等が挙げられる。
本発明を記述しまた請求する際に使用される専門用語の定義は下記の通り。
【０００７】
用語「潤滑剤」はその通常の意味で使用される。また、表面間に用いられた際の摩擦を減らす物質のことについて言及している。本発明に関して用いられる潤滑剤には、一般には、液体中で極小に、部分的、あるいは十分に、溶媒和化し、分散、あるいは懸濁した液体および任意選択での固体かガスかが含まれる。例えば、潤滑剤には、油をベースとする潤滑媒体および選択的には単量体か、低重量体、更に、それらに溶媒化した重合体の添加剤との両者をも、あるいは何れかが含まれる流体である。
「選択的な」あるいは「選択的に」は、引き続き述べた状況が起ることがあるか、あるいは起らないことがあり、それゆえ記載には、出来事が起るところの事例、および出来事が起らないところの事例が含まれる。
【０００８】
用語「比誘電率」は、その通常の意味で用いられ、またたとえば潤滑剤などの物質が、印加された電界からの電荷を通電せずに蓄電する能力を示す指標につき言及している。また時々先行技術において「誘電率」としても言及される、物質の「比誘電率」は、自由空間の誘電率を掛けたら物質の絶対誘電率を生じる１よりも大きな無次元スカラ量である。
【０００９】
ここでは、用語「ロータ」は回転する部分、「ステータ」は固定された部分、さらに「軸受」は電気、機械装置の両方あるいはいずれか一方のそれぞれの部品間インターフェイスにつき言及するために用いられている。一般的には、ロータはステータの周辺あるいは内部で回転する。たとえば、回転軸は、ロータに外接して保持するステータの役目をするスピンドルスリーブ内で回転するロータとしての役目をすることがある。
【００１０】
用語「スライダ」はその通常の意味で用いられ、読取り／書込み変換器あるいは「ヘッド」を支持し、且つ、空気軸受面を有す好ましい浮遊高特性を有すディスクドライブシステムの構成要素について言及している。また用語「スライダ」には、一般的に、放出電流が流れているヘッドアッセンブリのあらゆる部分も含まれる。
【実施例】
【００１１】
＜実施例１＞
一般的に、本発明は、ディスクドライブシステムにおいて用いる潤滑剤に関する。本発明を十分に説明するために、1枚の磁気ディスクを有す簡略化したディスクドライブ用スピンドルアッセンブリを図１に示した。同様の部品には同様の番号が参照されており、ここに参照された全ての図面と同じように図１は、縮尺して図示したものではなく、特定の次元の描写を明瞭にさせるために誇張していることがある。スピンドルアッセンブリ５０には、ステータ５８の延長した内径に配置された軸方向に対称なロッド形状内のロータ４０が含まれる。ロータ４０は、その中心軸の周りを回転することができる。またボア内のステータ５８によって保持されている。軸受６０は、ロータ４０とステータ５８との間のインターフェイスとして形成されている。スピンドルアッセンブリの特別な設計により、軸受は多くの異なるいかなる構造も提示できる。たとえば、軸受は、ジャーナル軸受、螺旋溝軸受、またはヘリングボーン溝軸受であってもよい。更に、潤滑剤の中で、溝で打ち出しされて内圧を生じている表面から軸受が形成されていてもよい。
【００１２】
いかなる場合でも、潤滑剤は軸受６０内に配置されている。高性能ドライブの軸受には、厚さ約１０マイクロメータ以内にすぎない潤滑剤の層が含まれてもよい。ロータ４０の低末端に固定されているのがモータ５２である。1枚の磁気ディスク４２の中心部が、ロータ４０の上末端に取り付けられている。動作中は、モータ５２がディスク４２を回転させ、また潤滑剤は、ステータ５８に連動してロータ４０の自由な回転を促進させるために役立っている。
【００１３】
図１について考察する際、軸受６０に位置付けられ、望まない静電特性を有す潤滑剤が、ステータ５８からロータ４０を電気的に離間させる目的を果たしていることがある点を明らかにさせる必要がある。その結果として、ロータ４０とステータ５８とが異なる電位を呈していてもよい。磁気ディスク４２がロータに電気的に接続して描かれているので、ディスク４２が事実上ロータと同じ電位であってもよい。したがって、ステータ５８と接触しているディスクドライブシステムの構成要素とディスク４２とが近傍している場合には、ディスクと近接構成要素間に静電気が制御されずに放電されるためディスク４２に損傷が生じる。
【００１４】
＜実施例２＞
図２は、典型的なディスクドライブシステムあるいはディスクドライブ１０を詳細に、且つ分解組立図にて描いている。ディスクドライブ１０には、ハウジング１２とハウジングカバー１４とが含まれる。ディスクドライブが組み立てられる際、ハウジングカバーがフレーム１６内に装着されている。ハウジング１２内のアクチュエータ軸１８に回転可能に装着されているのは、アクチュエータアッセンブリ２０。このアクチュエータアッセンブリ２０の一端には、複数の輻射状に延びたアクチュエータアーム２４を有す電子ブロック、あるいはアクチュエータロータ２２が含まれる。ロータ２２の個別のアクチュエータアーム２４に取り付けられているのは、ヘッドジンバルアッセンブリ２６。各ヘッドジンバルアッセンブリ２６には、アクチュエータアーム２４に装着された取付板２８が含まれる。取付板２８の端部に装着されているのは、1個あるいは2個のビーム３０。各荷重ビーム３０の端部に装着されているのは、スライダ３２であり、2対の磁気変換器あるいは読取り／書込みヘッド３４を保持している。アクチュエータアッセンブリ２０の他端に荷重ビーム３０とスライダ３２とが対向しているのは、ロータ２２を回転させるための回転手段である。この回転手段はボイスコイル３５として示されており、これは、ハウジング１２に装着されたアクチュエータロータ２２と磁石３８とに装着されている。磁石３８およびボイスコイル３５とは、アクチュエータアッセンブリ２０に力を印加してアクチュエータ軸１８周りを回転させるボイスコイルモータの主要部品である。
ハウジング１２に取り付けられているのは、スピンドル軸４０の形をしているロータである。スピンドル軸４０に回転可能に装着されているのは、垂直方向にいくつもの間隙をおいた磁気ディスク４２である。垂直方向に離間して配列されている磁気ディスク４２はディスク積層４４を画定する。内部モータ５２（図３に示す）がディスク４２を回転させる。ディスクドライブアッセンブリ２０は、モータおよびボイスコイルモータを制御する制御回路も有し、ディスク４２上の読取り／書込みヘッド３４が選択して位置付けできるようにさせている。
【００１５】
＜実施例３＞
図３は内部モータ５２およびスピンドル軸４０からなるディスク積層ドライブアッセンブリ部を詳細に示している。ドライブモータ５２はハブ５４の中に入っている。スラスト軸受５６はスピンドル軸４０を固定して軸方向の荷重を支え剛性を与えている。更に、このスピンドル軸４０は、スピンドルスリーブ５８の形状をしたステータ内に固定されている。更にこのステータはモータ５２の中に入っている。動作中、ドライブモータ５２がスピンドル軸４０を非常に高速で回転させる。たとえば、スピンドル軸は少なくとも毎分回転数約３，６００（ＲＰＭ）の回転速度で回転することがある。場合によっては、少なくとも約１５，０００乃至２０，０００あるいはそれ以上の毎分回転数が得られることがある。その結果、潤滑剤がスリーブ５８に関連して軸４０の自由な回転を可能にさせる必要がある。したがって、ジャーナル軸受６０は、潤滑剤が潤滑細孔６２から出て、そしてジャーナル軸受６０内を潤滑にし軸４０とスリーブ５８との間の摩擦を減らすために提供される。
【００１６】
図２及び図３から、スライダ３２はスピンドルスリーブ５８に電気的に接続されていてもよい。加えて、磁気ディスク４２はスピンドル軸に電気的に接続されていてもよい。ディスクが操作性のために回転している間、スライダ３２はディスク４２の近傍に位置付けられる必要があるために、スピンドル軸４０とスピンドルスリーブ５８間のあらゆる電位差が制御されていない静電放電の原因となることがある。
【００１７】
したがって、本発明は、既知のディスクドライブ潤滑剤に関連した問題を克服する。高性能サーバーディスクドライブ産業界がボール軸受から液体軸受のスピンドルモータに移動している間、磁気記録スライダとディスクとの間隙は１０以上乃至５ｎｍあるいはそれ以下に減じられている。したがって、液体軸受間の低電位は、エアギャップ間の高電界に変換される。下記に述べられたように、実験結果により示されることは、潤滑剤が同じ誘電率を有しているとして、ディスクドライブ内の望まない静電気放電を減らすという状況の場合には、低比誘電率を有す潤滑剤は、高比誘電率を有する潤滑剤より好ましい。
【００１８】
潤滑剤は典型的には、５０℃で約２５，０００以下のDC比誘電率を有す。好ましくは、このDC比誘電率は５０℃で約１０，０００以下である。低比誘電率は、軸受内で電荷の蓄積を減らすために、少なくとも潤滑媒体および帯電制御添加剤を含む潤滑剤を調剤することによって得られることがある。
【００１９】
例えば、望ましい粘性率のある油が潤滑媒体としての役目を果たしてもよい。潤滑媒体として好適な化合物には、例えばペルフルオロポリエーテル類、エーテル類、合成炭化水素類、および炭化水素類が含まれる。加えて、ジエステル類、ポリオールエステル類、ポリアルファオリフィン類が同様に用いられる。場合によっては、単一の化合物が適当な粘性を呈すことがある。しかし、別の状況では異なった基本液体の混合が有利に用いられることがある。
【００２０】
帯電制御添加剤は潤滑媒体中で溶解度を高められるか、あるいは溶解することがある。例示的な帯電制御添加剤には、芳香族アミン類、アルキル化芳香族アミン類、それらのオリゴマー類、そしてそれらの組み合せが含まれる。更に詳細には、好ましい帯電制御添加剤にはジオクチルジフェニルアミン、フェニルナフチルアミン、それらのオリゴマー類、あるいは前述の組み合せが含まれる。とりわけ好ましい帯電制御添加剤は、フェニルナフチルアミンおおびジオクチルジフェニルアミンのオリゴマーからなる。
【００２１】
加えて、潤滑剤は、潤滑媒体中で溶解度を高められるか、若しくは溶解した導電率増加添加剤から更になってもよい。たとえば、この導電率増加添加剤はアニリン、それらのオリゴマー、それらのポリマー、あるいは前述の組み合せからなってもよい。このような導電率増加添加剤は先行技術においては、たとえば、特許文献１、２、３に挙げられた例が知られている。
【００２２】
次の実施例は、本発明を実施する方法を完全に開示し記載した通常技術を有する当業者に提供するために提示されており、発明者らが自らの発明としてみなした範囲を限定するために意図されたものではない。
【００２３】
＜実施例４＞
さらに詳細な実施例
このような改良型ディスクドライブにおける種々の潤滑剤の実施可能性を決定するために、種々の潤滑剤の調合剤が実験的評価として準備された。特に、潤滑剤の誘電特性が特徴付けられた。モータがこれら調合物で作られ、また電圧のあるモータおよびピーク放電電流が測定された。直列ＲＣ等価回路型がピーク放電電流に潤滑剤の誘電特性と、軸受に蓄積された電荷に関連する電気エネルギーとを関係づけるように開発された。
【００２４】
全ての潤滑剤調合剤は、一種以上の添加剤を含む基油からなる潤滑媒体からできている。用いられた基油はジカプリン酸ネオペンチルグリコール（NPG）である。NPGは、また2,2-ジメチル-1,3-プロパンジイルジデカン酸（CAS27841-06-1）として知られている。ロットにより、ブチル化ヒドロキシトルエン（BHT）安定剤の極微量が核磁気共鳴（NMR）分析法により検出された。オクテルアタレオンLLC（リトルトン、コロラド州）からSTADIS450（米国商標登録）という商標で販売された約0.5重量パーセントの商用誘電性添加剤を含む調合油Sが調合された。R.T.バンデルビルトカンパニーインク（ノーウォーク、コネチカット州）からテトラエステルオイルキャリア中のジオクチルジフェニルアミンおよびフェ二ルナフチルアミンの５０重量パーセント反応混合物からなるVANLUBE9317(米国商標登録)という商標で販売されたオリゴマーの抗酸化剤を含むオイルVと呼ばれる調合物が調合された。調合油Vの変型がロット１、ロット２、バッチコハクおよびバッチ赤として調合された。
【００２５】
追加の添加剤も評価用基油に組み入れられた。これら添加剤に含まれるものは、チバ特殊化学（Ciba Specialty Chemicals）（タリータウン、ニューヨーク）からIRGANOXL57(米国商標登録)という商標で販売されたジアルキルジフェニルアミンと、商業試薬等級BHT、そして商業試薬等級ベンゾトリアリゾール（BTA）と、そして非置換フェ二ル環およびR=CH３（ORN）を有すオリゴマーポリアニリンのエメラルド色フォームとである。これらの添加剤は、オイルA、B、C中に含まれる。オイルA、B、C中の添加物水準は0.1および１重量パーセントの間である。オイルＡには、チバ特殊化学のIRGANOX1076あるいはL135(米国商標登録)に類似のp-アルキルエステル置換BHTと、チバ特殊化学のIRGANOXL57(米国商標登録)に類似のジオクチルジフェニルアミンに類似している第二芳香族アミンとが含まれた。オイルBには、城北化学工業株式会社(東京、日本)のアイテムBT-LXに類似するアルキル化BTAを添加することによるオイルAが含まれた。オイルCには高レベルの芳香族アミンを含むオイルBが含まれた。
【００２６】
攪拌、音波処理、そしてヒートガンでの穏やかな過熱の組み合せで基油に添加剤が混合された。攪拌は、振動によるか、ボルテックスミキサを用いた。OANの誘導型は２グラムのエメラルド色基油に対してドデシルベンゼンスルホン酸０．０１モルで中和することによって得る事ができた。実験的評価目的のために、１ミクロンポリテトラフルオロエチレン膜（VWRサイエンティフィックからP/N4226、28143-928）を有するポールゲルマンラボラトリーアクロデスク（Pall Gelman Laboratory Acrodisc）CR25mmシリンジフィスタを用いて混合した後の結果としてOANの不溶解部分が漉し取られた。
流体軸受ディスクドライブスピンドルモータを上述の潤滑剤の何れかを用いて調整した。これらモータは上端サーバーの磁気記録ディスクドライブで使用される固定されたステータ型である。
【００２７】
油誘電率の測定
誘電特性（比誘電率および損率）を、窒素中１時間５０℃でセラミック単一面センサを有すTAインストルメント社の誘電性分析器（DEA）型式2970を用いて計測した。各センサには、125マイクロメータ幅および12.5マイクロメータ厚の金電極が含まれる。各々の電極に１ｍｍ間隙を置いた。線形可変変換器を較正し、加速度変換器をゼロにし、センサ反応を測定するために各センサを計測する（幾何学的また抵抗式温度検出）。
【００２８】
各試料をセンサ面に拡散し、そしてそのセンサをオーブンの底部に位置付けた。試料をセンサ面上に埋め込むため、ラム圧力が生じる。これにより流体が電極間のスペースに流れるように強いられる。信号回路を完結させるために、ラムに取付けられたばねが装荷された電極プローブをセンサパッドに接続している。
【００２９】
名目上、５０℃と８０℃との等温温度でDEA測定した。各温度で、１０あたり5ポイント、０．１から１０，０００Ｈｚの間で正弦波発振器の周波数掃引を６回実行した。測定の安定性を検証するために多重周波数掃引をした。さらに分析するために第２の掃引の完全な周波数からデータを選択した。
【００３０】
数種の異なる温度でDEA測定を実行する際、５０℃データ（時間-温度重ね合わせ）に比較して、周波数軸に沿ってシフトすることで測定の周波数幅を延長するために時間温度重ね合わせを用いた。
【００３１】
損率数式の限定低周波数フォームとフィットさせることによって、通常、図４Ａに一部を示してある損率データからオイル比誘電率導電率を導き出す。
【００３２】
【数１】
2005106290.tif 000003
【００３３】
ここでε"は損率、σは比導電率、ε０は自由空間の絶対透磁率、そしてｆは励起周波数である。ある場合においては、導電率の単一点値も１Hzで測定される損率から計算され、フィットからデータへ周波数の全体の範囲にわたり計算された比導電率と略同じである。
【００３４】
オイルの電荷は比誘電率から導かれた。周波数の関数としての比誘電率の典型的値ε'を、図４Ｂに示した。マニュアルフィットから４緩和時間のある離散緩和時間シリーズへの滑らかな曲線である。
【００３５】
【数２】
2005106290.tif 000004
【００３６】
ここで、εuは高周波数比誘電率（誘電率とよく言われる）であり、たとえば、n-ドデカンのような非極性炭化水素に対し約２である。εr,iはith緩和の大きさ。τi は、ith緩和時間である。図４Ｂのデータポイントを経た滑らかな曲線により示された、３緩和時間は調合油の比誘電率を調和するに十分であった。
【００３７】
DC比誘電率は、滑らかな曲線が図４Ｂのたて軸に関心を向ける実質的な点である。定常状態モータ電圧で、大量の流体軸受油に貯えられた電荷が比誘電率に正比例する。
【００３８】
【数３】
2005106290.tif 000005
【００３９】
ディスクドライブスピンドルモータが１０あるいは15kRPMで回転している間、そのモータの定常状態の電圧とピーク放電電流とを測定するために、試験台を設定した。ステータが誘導性金属ベースに装着された。導電性ファイバーブラシあるいは小型ワイアを有する回転するロータに電気的接触がなされた。高インピーダンス電位計（Keithley モデル617）を用いて測定された。電圧測定を動作させるために、モータハブと接触中にアースとしてロータを用いて電圧が測定された。ピーク放電電流のために、電位計を送電モードに設定した。電位計からのアナログ電圧の出力が、分析用アナログからデジタル変換カードを有すパーソナルコンピュータにより得られた。ステータ、ハブ間に接触がある場合、初期の過渡的電荷の間にピーク放電電流として最高電流を記録した。過渡的放電電流の典型的作図を図５に示した。稼動電圧、V０およびピーク放電電流、ipが少なくとも５個のモータの測定平均値である。
【００４０】
種々の潤滑剤の誘電損率および比誘電率を７図に示した。NPG基油と、2％VANLUBE9313(米国商標登録)が含まれるオイルVと、オイルS（STADIS-450を含む）との間の等級差には順位がある。それらの潤滑剤に対する比導電率と、１Hｚでの比誘電率、ε'（1Hz）と、dc比誘電率、ε'（0）とを５０℃で測定し、表１に挙げた。
【００４１】
【表１】
2005106290.tif 000006
【００４２】
オイルロッドが名目上は同じであるオリジナルオイルVと、オイルVロット1と２との間の電気的特性の違いは、基油中の不純物が制御されていない低レベルであることに起因する。これらの不純物は、オイルのNMRスペクトロスコピー測定で同定されない程の少量が存在した。
【００４３】
異なる添加剤のバラエティが含まれるオイル配合物がDEAにより特徴付けられた。１Ｈｚ、５０℃で単一のポイント値を得たこれらオイルの誘電特性を表２に挙げた。
【００４４】
【表２】
2005106290.tif 000007
【００４５】
これら各々のオイルについてε'（0）を計算する必要のある低周波数データを計測しなかった。表２に挙げた比導電率および比誘電率は、１Ｈｚで測定したDEAデータポイントからのものである。約０．１と１０，０００Ｈｚとの間の周波数の全範囲に対する損率データか、あるいは１Ｈｚで測定した単一ポイントを用いることは、この導電率に略同値を示す。オリジナルオイルVに対して、全ての損率データを用いることは、表１では11.0nS/mが与えられ、一方、同じオイルに対して、１Ｈｚでこのポイント値だけを用いることは、表２では11.5nS/mが与えられる。比誘電率について同様のことが言える。オリジナルオイルVについて、３本の緩和時間曲線のフィットから比誘電率データへの誘電率が表１では９．７と与えられ、また同様のオイルについてのポイント値が表２では９．２と与えられている。
【００４６】
オリゴアニリンは、試験した種々の添加剤の中にあった。エメラルド色結晶形中のオリゴアニリンの伝導帯域による光学吸光度のため、この添加剤を含んだ濾過オイルには、緑色を帯びた色がついた。しかし、濾過した後でさえ、未だに沈殿する傾向があった。OANを含むオイルを数百時間の間１００℃に保った時、沈殿と導電損率とを観察した。NMR分光法から、オリゴアニリンがジエステル基油と化学反応したことが現れた。
【００４７】
比導電率と、導電率と、オイルSのオーダーよりも低い残りの全ての少なくとも２オーダーの比誘電率とが、全ての添加剤についてある程度増加した。
【００４８】
０．５と４．０重量パーセント間の添加剤濃度のNPG基油におけるVANLUBE9317(米国商標登録)の誘電特性を表３に示した。琥珀色と赤の試料をNPG基油の１個のロットから用意し、またオイルV試料を表３のNPG基油の異なるロットから用意した。再び、比誘電率の単一ポイント値を１Ｈｚ、５０℃で計測した。
【００４９】
【表３】
2005106290.tif 000008
【００５０】
濃度が４倍増加すると、VANLUBE9317(米国商標登録)の比導電率が３倍から４倍まで増加した。そして、１Ｈｚで比誘電率がそのオリジナル値の１．７倍未満まで増加した。
【００５１】
モータ放電電流
3つの異なるオイルで出来た流体軸受モータからの典型的なピーク放電電流プロットを図５に示す（AはＮＰＧ、Ｂは２%VANLUBE9317(米国商標登録)を含むオイルＶ、CはオイルC）。電流には3つの主な成分、すなわち、２００から５００ｍｓｃ内で減少する初期過渡現象と、定常状態（ラン）電流と、高周波ノイズ成分とがある。この高周波ノイズは、おそらく導電ブラシと回転モータハブとの間におこる滑り接触からのものである。定常状態（ラン）電流は、オイルのせん断流の分流に帯電することに起因する。ここでは放電電流の過渡現象のピーク、ipだけが考慮された。この安定状態ランニング電圧、Voもまた記録された。安定状態ランニング電圧およびピーク放電電流を表４に挙げた。尚ここでは、モータランニング電圧はVo、ランニングモータピーク放電電流はip、モータピーク放電電流コンダクタンスの大きさは、|ip /Vo |、そしてオイルの比電荷は、｜Voε'(0)ε0｜である。
【００５２】
【表４】
2005106290.tif 000009
【００５３】
種々の添加剤を加えると、ランニングモータの電圧は、−４００と＋１４０ｍＶとの間であった。このランニング電圧の電極は、電極が陽極の場合のオイルVで出来たモータを除いては（ステータに関しては）陰極であった。モータ電圧がオイル導電率と誘電率とに完全には依存していないことが目立った。対照的に、ピーク放電電流は添加配合物に依存が強いことが示された。ピーク放電電流が最高の際はオイルS調合がされていた。表４のピーク放電電流と、表３のオイルの比導電率との間に関係があるらしいように見受けられる。
【００５４】
応用原理
モデルはオイル導電特性をピーク放電電流に関連させるために開発された。電気放電現象を描くために理に適った最初の近似であるRC等価回路を図６に示した。モータ自体が、ピーク放電電流測定に見られるようにロータとステータ間の短絡があるまで存在している電圧V0に帯電する。スイッチがしまっていることに続く一時的電流は：
【００５５】
【数４】
2005106290.tif 000010
【００５６】
ここでRはスピンドル抵抗とし、Cはスピンドルのキャパシタンス、tは時間とする。流体軸受オイルの全電荷およびエネルギーがdc比誘電率、ε'(0)に、次の式に従って比例する。
電荷＝voC = Kvoε'(0)εo
および
電気エネルギー＝（1/2）×vo2C ＝ (1/2)×Kvo2ε'(0)εo
ここでε0=8.85×10-12F/mは自由空間の絶対誘電率、またKは比例定数とする。ピーク放電電流ipはオイル比導電率σに比例する。
ピーク放電電流＝ip = vo/R = Kvoσ
RCモデルから、モータ電圧|ip /Vo |に対するピーク放電電流率の大きさ（絶対値）は、オイル比導電率に比例するということになる。換言すると、大量のオイルに帯電された電荷が、より高い導電率を有すオイルを通ってさらに素早く放電する。したがって、|ip /Vo |対σの対数の対数で表されるプロットは、論理的には１の勾配を持つ直線である。
【００５７】
ピーク放電電流は下方オイルの誘電特性と比較される。上方RCモデルから、ピーク放電電流とモータ電圧の比率の絶対値がオイル導電率に比例し電荷に関係ない。数量|ip /Vo |は、ここではピーク放電コンダクタンスとして参照されている。種々のオイル配合物モータ用ピーク放電コンダクタンスを表４に挙げた。ピーク放電コンダクタンス対オイル導電率の対数の対数で表されるプロットを表７に示した。RCモデルから予測された比例関係を、オイルSデータポイントを経てフィットした直線で示している。比例反応からの偏差は比導電率の減少に伴って増加した。ピーク放電コンダクタンスがNPG基油の低導電率で増加し、一方オイルVより下方の導電率を伴う別のオイルに関して横ばい状態となる（通常高ピーク放電電流を有したオイルＡ、および通常低モータ電圧を有した赤バッチ０．５％を除く）。
【００５８】
７図に図示した滑らかな曲線は、ピーク放電コンダクタンスが最小略8nS/mを有す傾向があるようであることを示す。これは次のように説明できる。約10nS/mより高い比導電率のために、ピーク放電コンダクタンスが大半のオイルを介して大量の電荷蓄積および放散によって制御される。10nS/m以下の導電率が減少するにつれてRC、モデル曲線からのずれは増加し、そして非常に低導電率NPG基油について、ピーク放電電流は増加すらした。このタイプのずれは、低誘電率の限界において、RCモデルによって記述されたことに関連する重大性において増大する別の充電／放電のメカニズムがあることを示唆する。空気のせん断ひずみのため低導電率オイルのあるモータハブに静電荷が発生することがある。したがって、静電荷が放散するのは、大量のオイルを経たときよりも、外部回路を経たときだけであるため、大量のオイル導電率を伴う放電はしない。この詳細なメカニズムとは別に、2と20nS/mとの間のオイル比導電率を有すピーク放電コンダクタンスに浅い最低値があることを、図７の最小の滑らかな曲線が示唆している。
【００５９】
高導電率オイルに関して、ピーク放電コンダクタンスは次の式から与えられる。
【００６０】
【数５】
2005106290.tif 000011
【００６１】
ここでは、幾何学的係数A/d は、平行板コンデンサの面積Aと板の間隔d の比率とする。RCモデルフィットからオイルSモータデータポイント（７図の実線）は、A/d =13.3mである。平行板コンデンサの幾何学的係数は実際の流体軸受と幾らか異なる。これは、実際の流体軸受は筒状で平行、あるいは円錐状のディスクを有し、その領域には放射状かつ軸方向の剛性があるためである。幾何学的係数A/d は、流体軸受抵抗R=1/(σ(A/d))と、静電容量C=ε'(0)ε0 (A/d)とを計算するために用いられる。 タイプVオイル（表１）からなる流体軸受モータは、6.8＜R＜13.7MΩと、0.38＜C＜0.94μFである。赤バッチオイル（表3）からなるモータは、1.7＜R＜13.5MΩを有す。
【００６２】
オイル中の電荷およびオイル導電率は同様の電荷担体から発生したらしい。流体軸受｜Voε'(0)ε0｜対比導電率における比電荷のべき法則の勾配は1.4である。これは、軸受における比電荷に対する次の近似関係を示唆する：｜Voε'(0)ε0｜=Kσ3/2。大量の電荷担体が電極（ロータおよびステータ）面で蓄積しているかのように、3/2のべき法則勾配は、表面積マッピングの量に一致している。
【００６３】
一般的に互いに独立しているが、比誘電率は比導電率と共に略直線的に増加するようだ。NPG基油中VANLUBE9317(米国商標登録)の、種々の別々に調整された試料についての比誘電率対比導電率の直線回帰フィットおよび異なる濃度から、
ε'（1Hz）=2.5+0.5σ、nS/mでσ
１，４００時間までの様々な総時間についてオーブンに１００℃で保たれた試料は、導電率と誘電率とを若干増加させたものがいくらかあった。
【００６４】
放電加工による損傷からの保護
ひとつの可能性は、ステータに回転モータハブを接地させた直後に計測したピーク放電電流が磁気記録スライダとディスク間の凹凸の接触に炭素の保護膜を通して流れるということである。これには凹凸の接触抵抗を考慮に入れなかった。凹凸接触抵抗は、Rc=2/(σc（Ac/lc）)、であり、ここでは、２という因数が、ヘッド保護膜がディスク保護膜と同じ厚さと導電率であると想定されるような抵抗の説明となっている。σc≒10-10S/mと 、Ac≒10-12m2 と、lc≒5×10-9mとの典型的な値を伴い、次に Rc≒1017Ωを伴う。結果として、凹凸のある接触において保護膜を経て流れる電流は取るに足りないほど小さい。
【００６５】
磁気記録ディスク面には時折隔離した欠陥部位が見られる。この部位は局所的な溶解や揮発の結果であるように見受けられる。通常後縁および角付近のセラミックスライダボディからの微粒子のようなセラミック吸蔵による局部的腐食の除去が、磁気記録スライダには時折みられる。これらの微粒子がディスクの保護膜や磁気層の中に埋め込まれてもう少しで傷になりそうなことが、時々見つかる。ディスクドライブ産業界ではしばしばこのような欠陥を形成する際の要因としてモータの帯電が考えられる。これら欠陥について最もありうる説明としては、ディスクドライブの部品を製造し組み立てる際の微粒子の混入である。
【００６６】
これらの欠陥のいくつかは、磁気記録ディスクとスライダ間エアギャップを横切る電気アーク放電中にできる可能性がある。簡単に言うと、ある臨界電場で、高導電プラズマを形成しつつ、放出電子が陰極から蒸発している物質をイオン化し始める。このナノ秒ほど短命となりうる電気アークは、陰極に溶解した残骸やヘコミを残す。
【００６７】
磁気記録ディスクの窒素化炭素保護膜には典型的には10から15atm%窒素が含まれる。真空中で鋼球にアークをなす類似の窒素化炭素膜に対する臨界電場は12から17×106V/mである。したがって、10nmで浮上するスライダについては、臨界電圧の範囲は120から170mVとなる。これは、表４で挙げた種々のオイル調合剤から出来たモータを測定したモータ回転電圧の範囲内である。ディスクおよびスライダ間の空気軸受を形成する増加圧力は、臨界電圧を増すことがある。スライダとディスク面との間の空隙は、空気の平均自由行程未満であるために、イオンは、雰囲気圧で均一な別のガス分子と衝突前に、一面のガス分子と衝突するであろう。スライダとディスクとの両方の表面は、真空アーク放電が計測される際のようなコーティングされた片面およびステンレス鋼の他面であるよりも、むしろカーボンコーティングされている。アークプラズマは、電子によって表面から取り除かれている分子の部分をイオン化することで生じるために、アーク放電は、ディスクの潤滑剤、表層の調合物、吸着剤のタイプおよび汚染物質の別のタイプに対して感受性が高くなる。
【００６８】
アークを開始するための放出を利用できる電子がおそらくより少ないために、放電のための臨界電界が窒素化炭素の導電率を減少させつつ増加する。加えて、くぼんでいる場所は極性Voに依存し、スライダかディスクの表面かである。
【００６９】
ディスクとスライダとの間にあるアーク放電の条件は、表４に挙げた殆どのオイル調合物に対して潜在的に存在することがある。流体軸受がアークにおいて十分放電した際、表面物質、Vの量における最大断熱温度上昇、ΔTは次式で求められる。
【００７０】
【数６】
2005106290.tif 000012
【００７１】
ここでは、Vo2C/2は軸受における電気エネルギー、またCpは表面物質の熱容量である。凹凸接触は、全ての電荷を放電するのに十分なほど長くは続かないために、実際の温度上昇は最高値よりも著しく少なくなるであろう。CpおよびVは知られていないので、ΔTは定量的に予想できない。しかし、ΔTは総合電気エネルギーと共に増加することが期待された。流体軸受中の総電気エネルギー、Vo2C/2＝Vo2ε'(0)ε0(A/d)/2は、比導電率の関数としてプロットされてもよい。低σの限界において、Vo2C/2はσ2に比例関係に近づき、高σの限界において、Vo2C/2はσに正比例関係に近づく。
【００７２】
要約すると、上記に示した実験データはピーク放電コンダクタンスが最低値に近い比導電率8nS/mを有す。これは、高導電率限界における変化に達するため、低導電率オイルを有する主に静電表面電荷から移行によって説明されることがある。電荷は比導電率を伴って１．４乗に増加した。１Ｈｚで測定された比誘電率は広いオイル範囲に対して比導電率を伴って略直線的に増加した。
【００７３】
凹凸接触の抵抗が大きいために取るσに|ip /Vo |が依存することにおいて見られる2領域と同様に、σの関数従属性におけるこの変化は、高導電率限界における変化に達するため、低導電率限界における主に静電表面電荷間を移行すること示している。に足りない電荷はこの経路を経て流れることがある。しかし、観察されたモータ回転電圧の範囲に渡り低浮遊スライダの空気軸受を横切る電界は、窒素化炭素保護膜から電気アーク放電する臨界磁界に近い。十分なエネルギーのアーク放電がピッチングおよび砕片の生成につながることがある。したがって、流体軸受モータの制御のための最適な添加剤が十分な導電率を備えており、流体軸受に貯えられる最低限の電気エネルギー量で静電荷を放散する。
【００７４】
本発明の種々の変更は通常技術を有す当業者にとり明らかとなろう。例えば、上述した可溶性添加剤には潤滑剤が含まれてもよく、場合によっては、部分的に可溶性のあるいは非可溶性の添加剤もまた用いられてもよい。例えば、ナノチューブが沈殿を避けるために十分に分散されるくらい長く、高導電性多層カーボンナノチューブが、導電率増強潤滑剤として用いられてもよい。
【００７５】
本発明が、それについての好適な特定の実施例に関連して記述されたが、上述の記載は本発明の範囲を示すためであり限定しない意図である旨が理解されるであろう。その他の側面、利点、修正が本発明に関連する当業者らに明らかとなろう。
【００７６】
ここに引用された全ての特許、特許出願、公開は、全体として参照文献によって組み込まれる。
【図面の簡単な説明】
【００７７】
【図１】本発明で用いる簡略化したディスクドライブスピンドルの略断面図を表す。
【図２】本発明で用いる例示的ディスクドライブシステムの分解図である。
【図３】本発明で用いる例示的ディスクドライブ・スピンドルモータ・アッセンブリーの断面図である。
【図４】図４として一括して参照した、種々の潤滑剤調合物の誘電特性を図示するグラフである。図４Ａは、度数関数としての損率を点プロットで作図したグラフである。図４Ｂは、度数関数としての比誘電率を点プロットで作図したグラフである。
【図５】図５として一括して参照した、3種の異なる油つまり、AのNPG基油、BのオイルV、CのオイルCから作られる毎分回転数15,000（15ｋRPM）で回転可能な流体軸受モータ用に測定された典型的放電電流を図示する。
【図６】スイッチが、初期 v = v0でt = 0の時に突然接続するモータ放電過渡現象の直列RC等価回路モデルを描く。
【図７】種々の油調合物を有す15ｋRPM流体力学的軸受モータ用油固有の伝導率測定対ピークモータ放電コンダクタンスを点プロットで作図したグラフである。データポイントを経てなだらかな曲線が引かれている。この線は、RCモデルのフィットからオイルSデータポイントへ引かれている。
【符号の説明】
【００７８】
１０…ディスクドライブ、
１２…ハウジング、
１４…ハウジングカバー、
１６…フレーム、
１８…アクチュエータ軸、
２０…アクチュエータアッセンブリ、
２２…アクチュエータロータ、
２４…アクチュエータアーム、
２６…ヘッドジンバルアッセンブリ、
２８…取付板、
３０…ビーム、
３２…スライダ、
３４…読取り／書込みヘッド、
３５…ボイスコイル、
３８…磁石、
４０…ロータ、
４０…スピンドル軸、
４２…磁気ディスク、
４４…ディスク積層、
５０…スピンドルアッセンブリ、
５２…ドライブモータ、
５４…ハブ、
５６…スラスト軸受、
５８…ステータ、
５８…スピンドルスリーブ、
６０…ジャーナル軸受、
６２…潤滑細孔。
【図１】
2005106290.tif 000013
【図２】
2005106290.tif 000014
【図３】
2005106290.tif 000015
【図４】
2005106290.tif 000016
【図５】
2005106290.tif 000017
【図６】
2005106290.tif 000018
【図７】
2005106290.tif 000019